(57)【特許請求の範囲】
【請求項１】
スピーカを固着したバッフルボード及びキャビネットによって箱体を形成し、前記バッフルボード又はキャビネットを貫通する管状のバスレフポートを設けてあり、該バスレフポートの箱体外側の開口部にグリルを設けてあるスピーカシステムにおいて、
バスレフポート内部を該バスレフポートの箱体外側の開口部から箱体内側にかけて分割し、前記グリルを兼ねる仕切り板を備えることを特徴とするスピーカシステム。
【請求項２】
仕切り板のバスレフポート内の長さをバスレフポートの軸方向の全長の１／３以上になしてある請求項１記載のスピーカシステム。
【請求項３】
仕切り板のバスレフポート内の長さをバスレフポートの軸方向の全長と等しくなしてある請求項１記載のスピーカシステム。
【請求項４】
スピーカを固着したバッフルボードによって箱体をなすキャビネットの内部を分割し、該キャビネットを貫通する管状のバスレフポートを設け、該バスレフポートの箱体外側の開口部にグリルを設けてあるスピーカシステムにおいて、
バスレフポート内部を該バスレフポートの箱体外側の開口部から箱体内側にかけて分割し、前記グリルを兼ねる仕切り板を備えることを特徴とするスピーカシステム。
【発明の詳細な説明】
【０００１】
【産業上の利用分野】
本発明はスピーカシステム、特にバスレフ型のスピーカシステムに関する。
【０００２】
【従来の技術】
図９及び図１０はそれぞれ従来のスピーカシステムの正面図及び側断面図である。図においてバッフルボード２とキャビネット５とは箱体をなす様に接合されており、バッフルボード２はこれに設けられたスピーカ取付け穴から振動板が覗く様にスピーカ１が固着されている。またバッフルボード２に設けられた穴の箱体内側にこの穴と同じ断面を持つ管状のバスレフポート３が設けてある。
【０００３】
さらにバッフルボード２の箱体外側にはスピーカ１の振動板を保護し、バスレフポート３から箱体内部の空洞６へ異物の侵入を防ぐグリル４が設けてあって、バスレフポート３及びグリル４はいずれもバッフルボード２との一体成形によって構成されている。
【０００４】
次に動作について説明する。スピーカ１による再生音のうち、スピーカ１の前面の再生音は、グリル４を通して前面に放射される。スピーカ１の背面の再生音は、空洞６の空気とバスレフポート３内の空気とがヘルムホルツの共振を起こすことにより低音域を増幅されてバスレフポート３及びグリル４を通して前面に放射される。
【０００５】
さて、バスレフポート３の前面開口部からは空気が勢いよく放出されるのでこの前面開口部付近に障害物  （ここではグリル４）  が存在するとバスレフポート３から放出される空気の流れが乱れて風切り音が発生する。また気流の乱れによってヘルムホルツの共振が弱められて低音域の増幅度  （以下バスレフ効果という）  が低下する。
【０００６】
図１１に前述のスピーカシステムの周波数特性図を示す。図において横軸は周波数を表し、縦軸は出力音圧周波数特性に対して音圧レベルを、またインピーダンスカーブに対してインピーダンスをそれぞれ対応させて表す。
なお、比較のために前述の従来のスピーカシステムの周波数特性を実線で示し、理想的なスピーカシステムの周波数特性を破線で示す。
【０００７】
出力音圧周波数特性はスピーカに一定電圧の正弦波を加えたときの周波数に対応する音圧レベルを表したものである。インピーダンスカーブはバスレフ効果が大きい程、低域における起伏が激しくなることからバスレフ効果を知るために良く用いられる。理想的なスピーカシステムの周波数特性は出力音圧周波数特性において中域から低域にかけて平坦な区間が長く、またインピーダンスカーブにおいて低域の起伏が激しく現れる。
【０００８】
【発明が解決しようとする課題】
前述のように従来のスピーカシステムは、バスレフポートの箱体外側の開口部のグリルが気流を乱すので再生信号の忠実な再生のための妨げとなる風切り音が発生するという問題があった。
また、グリルが気流を乱すことによってバスレフ効果が下がるという問題があった。
本発明は上述のような問題点に鑑みてなされたものであってバスレフポートの内部にバスレフポートの箱体外側の開口部における気流の乱れを抑える工夫を施して風切り音を低減し、バスレフ効果の低下を抑えたスピーカシステムを提供することを目的とする。
【０００９】
【課題を解決するための手段】
第１発明に係るスピーカシステムは、スピーカを固着したバッフルボード及びキャビネットによって箱体を形成し、前記バッフルボード又はキャビネットを貫通する管状のバスレフポートを設けてあり、該バスレフポートの箱体外側の開口部にグリルを設けてあるスピーカシステムにおいて、バスレフポート内部を該バスレフポートの箱体外側の開口部から箱体内側にかけて仕切り板で分割し、該仕切り板にグリルを兼ねさせてあることを特徴とする。
【００１１】
第２発明に係るスピーカシステムは、スピーカを固着したバッフルボードによって箱体をなすキャビネットの内部を分割し、該キャビネットを貫通する管状のバスレフポートを設け、該バスレフポートの箱体外側の開口部にグリルを設けてあるスピーカシステムにおいて、バスレフポート内部を箱体外側の開口部から箱体内側にかけて仕切り板で分割し、該仕切り板にグリルを兼ねさせてあることを特徴とする。
【００１２】
【作用】
第１, 第２発明のスピーカシステムでは、バスレフポートの箱体外側の開口部に設けたグリルを兼ねる仕切り板により、バスレフポート内部を箱体外側の開口部から箱体内側にかけて分割することにより、バスレフポートの箱体外側の開口部からグリルを通過して勢いよく放出される空気の流れを整え、前記グリルがバスレフポートの作用に及ぼす影響を緩和する。
【００１３】
【実施例】
（実施例１）
以下に本発明をその実施例を示す図面に基づいて詳述する。図１及び図２はそれぞれ本発明に係るスピーカシステムの正面図及び側断面図である。図においてバッフルボード１２とキャビネット５とは箱体をなす様に接合されており、バッフルボード１２にはこれに設けられたスピーカ取付け穴から振動板が覗く様にスピーカ１が固着されている。
【００１４】
またバッフルボード１２にはこれを垂直に貫通する様に管状のバスレフポート１３がその開口部外縁を内接させて設けてある。バッフルボード１２の前面にはスピーカ１の振動板を保護し、バスレフポート１３から箱体内部の空洞６への異物の侵入を防ぐグリル１４が設けてある。バスレフポート１３の箱体外側のグリル１４の延長上にはバスレフポート１３の内部を箱体外側の開口部から箱体内側の開口部まで分割する仕切り板１９を備えており、バスレフポート１３，  グリル１４及び仕切り板１９はいずれもバッフルボード１２との一体成形によって構成されている。
【００１５】
スピーカ１による再生音のうち、スピーカ１の前面の再生音は前述した従来例と同様にグリル１４を通して前面に放射される。スピーカ１の背面の再生音は従来例と同様に空洞６内の空気とバスレフポート１３内の空気とがヘルムホルツの共振を起こすことにより低音域を増幅されてバスレフポート１３及びグリル１４を通して前面に放射される。このとき、バスレフポート１３の内部を箱体外側の開口部から箱体内側の開口部まで分割し、グリル１４を兼ねる仕切り板１９がバスレフポート１３の箱体外側の開口部を通過する空気の流れを整えるので風切り音は発生しない。
【００１６】
図３に前述のスピーカシステムの周波数特性図を示す。図において横軸は周波数を表し、縦軸は出力音圧周波数特性に対して音圧レベルを、またインピーダンスカーブに対してインピーダンスをそれぞれ対応させて表す。
比較のため実施例１に係るスピーカシステムの周波数特性を一点鎖線で示し、従来のスピーカシステムの周波数特性を実線で、理想的なスピーカシステムの周波数特性を破線でそれぞれ示す。インピーダンスカーブを比較して低域の起伏の激しさから従来のスピーカシステムより実施例１に係るスピーカシステムがよりバスレフ効果が大きくなっており、このことから風切り音が低減されていることを推定できる。また、出力音圧周波数特性を比較して中域から低域にかけての平坦な区間の長さから、従来のスピーカシステムより実施例１のスピーカシステムが低音域の再現性に優れる特性を持つことが分かる。
【００１７】
バスレフポートを設計するときに必要なバスレフポートの開口面積及び長さの関係は共振周波数及び箱体内部の空洞の容量を用いた公式により求められるが、この公式はバスレフポートの内部が分岐しない単純な構造をしている場合に適用するものである。
【００１８】
本実施例において、バスレフポートを分割して形成されたそれぞれの管の長さが同一であるのでそれぞれの管の開口面積を総計したものを開口面積とする、構造が単純なバスレフポートとみなして上述の公式を適用可能であり、これにより共振周波数に基づくバスレフポートの設計が可能になる。
なお、本実施例はバスレフポートをバッフルボードに設けてあるが、バッフルボードではなくキャビネットにバスレフポートを設けた場合にも前述の如き効果が得られる。
【００１９】
（実施例２）
図４及び図５はそれぞれ本発明に係るスピーカシステムの他の実施例を示す正面図及び側断面図である。図において２３はバッフルボード１２に設けられたバスレフポートであって、このバスレフポート２３の箱体外側のグリル２４の延長上には、バスレフポート２３の内部を箱体外側の開口部を起点にしてバスレフポート２３の全長の１／３以上の区間にわたって箱体内側に向けて分割する仕切り板２９を備える。
バスレフポート２３，  グリル２４及び仕切り板２９はいずれもバッフルボード１２との一体成形によって構成されている。図１及び図２と同一の他の構成要素には同符号を付して説明を省略する。
【００２０】
スピーカ１の背面の再生音は空洞６内の空気とバスレフポート２３内の空気とのヘルムホルツの共振により低音域を増幅されてバスレフポート２３及びグリル２４を通して前面に放射される。このとき、仕切り板２９のバスレフポート内の端部において気流の乱れが発生するが、仕切り板２９のバスレフポート２３内の長さをバスレフポート２３の全長の１／３以上になすことにより、気流の乱れを整えて風切り音を抑える。
【００２１】
なお、仕切り板２９のバスレフポート２３内の長さをバスレフポート２３の全長の１／３未満になした場合、風切り音を抑える効果は小さく、実用に向かない。
図６は前述の図３と同様の前述のスピーカシステムの周波数特性図である。図において前述の実施例２に係るスピーカシステムの周波数特性は一点鎖線で示してある。なお、実施例２に係るスピーカシステムの出力音圧周波数特性は従来のスピーカシステムのそれに重なっている。
【００２２】
インピーダンスカーブを比較して、低域の起伏の激しさから従来のスピーカシステムより実施例２に係るスピーカシステムが風切り音を低減する特性を持つことが分かる。
また出力音圧周波数特性を比較して中域から低域にかけての平坦な区間の長さから本発明に係るスピーカシステムは従来のスピーカシステムと低音域の再現性について同じ特性を持つことが分かる。
なお、本実施例はバスレフポートをバッフルボードに設けてあるが、バッフルボードではなくキャビネットにバスレフポートを設けた場合にも前述の如き効果が得られる。
【００２３】
（実施例３）
図７及び図８はそれぞれ本発明に係るスピーカシステムの他の実施例を示す正面図及び側断面図である。図において３５は６面ある直方体の１面を除いた形状をしたキャビネットであって、同じ形状のキャビネット３７と箱体をなす様に除いた面を向き合わせて接合されている。キャビネット３５及び３７の接合部に前記箱体の内部を２分するバッフルボード３２が存在し、バッフルボード３２とキャビネット３５とで形成される空間が空洞３６、バッフルボード３２とキャビネット３７とで形成される空間が空洞３８である。また、バッフルボード３２に設けられたスピーカ取付け穴には振動板を空洞３８に面してスピーカ３１が固着されている。一方、キャビネット３７においてスピーカ３１の対面には管状のバスレフポート３３がキャビネット３７を貫通する様に設けられている。バスレフポート３３の内部は、この箱体外側の開口部のグリル３４の延長上に、箱体外側の開口部から箱体内側の開口部まで形成した２枚の仕切り板３９によって分割されている。
【００２４】
次に上述のスピーカシステムの動作について説明する。スピーカ３１による再生音のうち、スピーカ３１の前面の再生音はキャビネット３７によって外気と隔離された空洞３８の空気とバスレフポート３３内の空気とのヘルムホルツの共振によってこの共振周波数付近の周波数の音圧レベルを強調されてバスレフポート３３より放射される。また、スピーカ３１の背面の再生音はキャビネット３５により外気と隔離された空洞３６内にとどまる。
【００２５】
【発明の効果】
以上のように第１, 第２発明によれば、バスレフポートの箱体外側の開口部に設けたグリルをバスレフポートの内部に延長し、バスレフポートの内部を箱体外側の開口部から箱体内側にかけて分割することによって、バスレフポートの箱体外側の開口部からグリルを通過して勢いよく放出される空気の流れが整えられ、風切り音を低減でき、またグリルが音質に及ぼす影響を除くことができ、更に意匠設計上の制約を緩和することができる。
【図面の簡単な説明】
【図１】本発明に係るスピーカシステムの正面図である。
【図２】本発明に係るスピーカシステムの側断面図である。
【図３】本発明に係るスピーカシステムの特性図である。
【図４】本発明に係る他のスピーカシステムの正面図である。
【図５】本発明に係る他のスピーカシステムの側断面図である。
【図６】本発明に係る他のスピーカシステムの特性図である。
【図７】本発明に係る他のスピーカシステムの正面図である。
【図８】本発明に係る他のスピーカシステムの側断面図である。
【図９】従来のスピーカシステムの正面図である。
【図１０】従来のスピーカシステムの側断面図である。
【図１１】従来のスピーカシステムの特性図である。
【符号の説明】
１  スピーカ、６  空洞、１２    バッフルボード、１３    バスレフポート、１４    グリル。
【図１】
0003608057.tif 000002
【図２】
0003608057.tif 000003
【図３】
0003608057.tif 000004
【図４】
0003608057.tif 000005
【図５】
0003608057.tif 000006
【図６】
0003608057.tif 000007
【図７】
0003608057.tif 000008
【図８】
0003608057.tif 000009
【図９】
0003608057.tif 000010
【図１０】
0003608057.tif 000011
【図１１】
0003608057.tif 000012